(57)【要約】【課題】  日常の乗車時の疲労を解消したり、車椅子利用者の乗車時の負担を軽減することを可能としたヘッドレストを実現する。【解決手段】  シートバックに保持されるべきステーが設けられる側の後方レスト部２と、搭乗者に接する側の前方レスト部４を可撓性素材を逆Ｖ字状に形成すると共に、後方レスト部及び前方レスト部の各々に芯材６、７を内設し、前方レスト部側に対し後方レスト部が揺動可能となるようにそれぞれの芯材の上端を軸支すると共に、ステーに対しヘッドレスト全体が揺動可能となるようにステーの上端と後方レスト部側芯材の下端を軸支し、後方レスト部の下端に対し、前方レスト部の下端が下方に位置するようにすることにより前方レスト部に搭乗者の頸部が接するようにすると共に、上記前方レスト部に搭乗者の後頭部から頸部に至る部分が落ち込む窪み５を設ける。【選択図】      図３
0003123994.tif 000002
【実用新案登録請求の範囲】
【請求項１】
シートバックに保持されるべきステーが設けられる側の後方レスト部と、搭乗者に接する側の前方レスト部が逆Ｖ字状を構成するように可撓性素材を逆Ｖ字状に形成すると共に、後方レスト部及び前方レスト部の各々に剛性素材よりなる芯材を内設し、前方レスト部側に対し後方レスト部が揺動可能となるようにそれぞれの芯材の上端を軸支すると共に、ステーに対しヘッドレスト全体が揺動可能となるようにステーの上端と後方レスト部側芯材の下端を軸支したヘッドレストにおいて、後方レスト部の下端に対し、前方レスト部の下端が下方に位置するようにすることにより前方レスト部に搭乗者の頸部が接するようにすると共に、上記前方レスト部に搭乗者の後頭部から頸部に至る部分が落ち込む窪みを設けたことを特徴とするヘッドレスト。
【請求項２】
シートバックは車両のシートのシートバックである請求項１記載のヘッドレスト。
【請求項３】
シートバックは車両に載置される車椅子のシートバックである請求項１記載のヘッドレスト。
【考案の詳細な説明】
【技術分野】
【０００１】
この考案は自動車用のシートや自動車に載置される車椅子のヘッドレストに関し、より詳細には事故時のむち打ち症を防止するのみでなく、日常の乗車時の疲労も解消することを可能としたヘッドレストに関する。
【背景技術】
【０００２】
自動車のシートバックの上方に突設することにより、搭乗者の後頭部をサポートするヘッドレストが公知である（特許文献１、２）。又、搭乗者の後頭部をのみならず、頸部もサポートするヘッドレストが公知である（特許文献３）。
【特許文献１】特許公開２００２−３８８号公報
【特許文献２】特開平８−２５２１４６号公報
【特許文献３】特開平８−３３２８７９号公報
【特許文献４】特許公開２００１−１７４７２
【考案の開示】
【考案が解決しようとする課題】
【０００３】
一般的なヘッドレストは追突等の事故時の衝撃により、搭乗者の頭部が急激に後方に屈曲してむち打ち症を引き起こすことを防止する点に意を払っており、日常の乗車時の疲労を解消する点はあまり考慮されていなかった。即ち、図６に示すように自動車のシートバックＳの上方に突設されたヘッドレストＨは、搭乗者Ｔの後頭部にのみ接し、搭乗者の頸部には接しなかった。又、搭乗者Ｔの後頭部とヘッドレストＨは通常は接してなく、搭乗者が意識的に首を後に傾けて初めて接するのが普通であった。従って、自動車の横方向の加速度により搭乗者の後頭部が左右に振られようとし、搭乗者が無意識にこれに抗する結果、疲れを生じやすいという問題があった。
【０００４】
これに関し、特許文献１には枢支部を上端に設け、下方が揺動するヘッドレストが記載されている。このヘッドレストは下端を前方に傾けることにより搭乗者の後頭部に常に接することが可能である。しかしながら、枢支部となる上端は定位置に止まっているので、ヘッドレスト全体が後頭部に接するわけでなく、下端が部分的に接するに過ぎず、後頭部を完全にサポートするには至ってない。
【０００５】
又、特許文献３には搭乗者の首に当接する部材を備えたヘッドレストが記載されている。しかしながら、上記ヘッドレストは後頭部をサポートするヘッドレスト部分と搭乗者の首に当接する部材とが別体となっており、搭乗者の後頭部とヘッドレスト部分は通常は接してないので、搭乗者は常に頭部がヘッドレスト部分から離れ、一方、頸部に当接する部材は一律に前方に突出しているのでシートバックの傾斜角度や搭乗者の体型によっては却って頸部を押しすぎる問題が予想される。
【０００６】
一方、特許文献４に記載のように、車椅子を車台とシート部分に分離可能とし、シート部分を車載可能とした車椅子用シートも提案されているが、老人等の車椅子利用者の中には頸部の筋力が弱い者も多く、前記の傾向はより顕著となった。
【課題を解決するための手段】
【０００７】
この考案は以上の課題を解決したヘッドレストを提供することを目的として創作されたものであり、シートバックに保持されるべきステーが設けられる側の後方レスト部と、搭乗者に接する側の前方レスト部が逆Ｖ字状を構成するように可撓性素材を逆Ｖ字状に形成すると共に、後方レスト部及び前方レスト部の各々に剛性素材よりなる芯材を内設し、前方レスト部側に対し後方レスト部が揺動可能となるようにそれぞれの芯材の上端を軸支すると共に、ステーに対しヘッドレスト全体が揺動可能となるようにステーの上端と後方レスト部側芯材の下端を軸支したヘッドレストにおいて、後方レスト部の下端に対し、前方レスト部の下端が下方に位置するようにすることにより前方レスト部に搭乗者の頸部が接するようにすると共に、上記前方レスト部に搭乗者の後頭部から頸部に至る部分が落ち込む窪みを設けたことを特徴とする。
【考案の効果】
【０００８】
よって、この考案のヘッドレストは、第１にステーに対しヘッドレスト全体が下端を枢支点として揺動すると共に、搭乗者に接する側の前方レスト部が上端を枢支点としてヘッドレスト全体に対し揺動するので、搭乗者に接する側の前方レスト部を搭乗者の後頭部に沿った最適な角度を保ったまま前方に平行移動することが可能となり、搭乗者の後頭部全体をサポートする作用を生じる。
【０００９】
第２に後方レスト部の下端に対し、前方レスト部の下端が下方に位置するようにすることにより前方レスト部に搭乗者の頸部が接するので、搭乗者の後頭部のみならず頸部をサポートする作用を生じる。
【００１０】
第３に前方レスト部に搭乗者の後頭部から頸部に至る部分が落ち込む窪みを設けているので、搭乗者の後頭部及び頸部に単に当接するだけでなくこれらを窪み内に収めることとなり、搭乗者の後頭部から頸部に至る部分を横方向にもサポートする作用を生じる。
【００１１】
以上の作用により、この考案のヘッドレストは搭乗者の後頭部を前後方向のみならず、自動車の横方向の加速度に対してもサポートし、しかもその範囲は重い頭部を支えている頸部にまで及ぶので、日常の乗車時の疲労が飛躍的に少なくなる効果を奏する。又、従来技術のヘッドレストでは考慮されていなかった側面衝突時の横方向の衝撃に対しても、搭乗者の後頭部及び頸部がサポートされるので、これらが急激に横方向に屈曲して損傷を受けることが防止される効果を奏する。更に、後頭部及び頸部が確実にサポートされるので、車両の走行時の前後左右方向の加速度により老人等、頸部の筋力が弱い車椅子利用者が悪影響を被ることが防止される効果も奏する。
【考案を実施するための最良の形態】
【００１２】
以下、この考案の具体的実施例を添付図面に基づいて説明する。図１乃至図４はこの考案のヘッドレストの実施例を示す図である。この考案のヘッドレスト１は表面に布地を張設した例えばウレタン等の可撓性素材からなる逆Ｖ字状の本体内に、その動きを規制するために剛性素材よりなる芯材を内設した基本構成を有する。
【００１３】
図中符号２はシートバックＳに保持されるべきステー３が設けられる側の後方レスト部であり、上下方向に金属製の芯材６が配される。図中符号４は搭乗者に接する側の前方レスト部であり、上下方向に金属製の芯材７が配される。上記の後方レスト部側の芯材６と前方レスト側の芯材７は、上端同士を枢支部９とすることにより各辺が揺動自在な逆Ｖ字状に結合される。又、後方レスト部側の芯材６の下端はステー３の上端に対し枢支部８により枢支することにより、ステーに対しヘッドレスト全体が揺動可能となる。
【００１４】
前方レスト部４の下端は、後方レスト部２の下端に対し下方に位置するようにすることにより、前方レスト部に搭乗者Ｔの後頭部のみならず頸部が接するようにする。そして、前方レスト部の中央には搭乗者の後頭部から頸部に至る部分が落ち込む窪み５を設けることにより、搭乗者の後頭部及び頸部を窪み内に収容可能とする（図５参照）。
【００１５】
以上の構成からなるヘッドレスト１は、シートバックＳに対しヘッドレストを揺動させて前方レスト部４を前方に移動させても、後方レスト部２に対する前方レスト部の角度を調整することにより、前方レスト部は当初のシートバックに対する角度を保ったまま平行に前方に移動することが可能となる（図３及び図４参照）。
【図面の簡単な説明】
【００１６】
【図１】この考案のヘッドレストの斜視図。
【図２】同上、異なる角度から観察した斜視図。
【図３】同上、断面図。
【図４】同上、異なる位置に揺動させた状態の断面図。
【図５】同上、使用状態を示す側面図。
【図６】従来技術のヘッドレストの使用状態を示す側面図。
【符号の説明】
【００１７】
１      ヘッドレスト
２      前方レスト部
３      ステー
４      後方レスト部
５      窪み
６      芯材
７      芯材
８      枢支部
９      枢支部
【図１】
0003123994.tif 000003
【図２】
0003123994.tif 000004
【図３】
0003123994.tif 000005
【図４】
0003123994.tif 000006
【図５】
0003123994.tif 000007
【図６】
0003123994.tif 000008